(57)【要約】【課題】この発明は、浸漬工程から輸送・保管まで一貫して使用できる浸漬収容ケースを提供することを課題とする。【解決手段】この発明は、両側に突き出し部を有する水道メータ部品等の対象物を位置を規定して収容し、保管・輸送及び所定の液への浸漬処理を行うための収容ケースであって、下記の内容を含む。全体が耐液性を有するとともに、少なくとも底部が通液性を備え、その底部に前記対象物を保持する保持部が固定又は一体に形成され、該ケースの底部が前記対象物の重量を支持すべく該対象物を着座させる。前記保持部はその対象物の両側の突き出し部を浮かせた状態で受け入れるために、前記突き出し部の下端より低い位置に底部が形成された凹部を有して、両者間に所定の隙間が形成されるようにする。かつ前記突き出し部と該凹部の前後端との間にも所定の隙間が確保されるように凹部の間口幅が形成される。前記隙間は当該ケースを前記液中で揺動させることにより前記対象物を前記凹部の範囲内で前記保持部に対して相対的に移動させる隙間とされる。【選択図】    図１
2004189244.tif 000002
【特許請求の範囲】
【請求項１】
両側に突き出し部を有する水道メータ部品等の対象物を位置を規定して収容し、保管・輸送及び所定の液への浸漬処理を行うための収容ケースであって、
全体が耐液性を有するとともに、少なくとも底部が通液性を備え、その底部に前記対象物を保持する保持部が固定又は一体に形成され、該ケースの底部が前記対象物の重量を支持すべく該対象物を着座させるとともに、前記保持部はその対象物の両側の突き出し部を浮かせた状態で受け入れるために、前記突き出し部の下端より低い位置に底部が形成された凹部を有して、両者間に所定の隙間が形成されるようにし、かつ前記突き出し部と該凹部の前後端との間にも所定の隙間が確保されるように凹部の間口幅が形成され、前記各隙間は当該ケースを前記液中で揺動させることにより前記対象物を前記凹部の範囲内で前記保持部に対して相対的に移動させる隙間とされたことを特徴とする水道メータ部品等の対象物浸漬収容ケース。
【請求項２】
両側に突き出し部を有する水道メータ部品等の対象物を位置を規定して収容し、保管・輸送及び所定の液への浸漬処理を行うための収容ケースであって、
全体が耐液性を有するとともに、少なくとも底部が通液性を備え、その底部に前記対象物を保持する保持部が固定又は一体に形成され、該ケースの底部が前記対象物の重量を支持すべく該対象物を着座させるとともに、前記保持部はその対象物の両側の突き出し部を浮かせた状態で受け入れるために、前記突き出し部の下端より低い位置に底部が形成された凹部を有して、両者間に所定の隙間が形成されるようにし、かつ前記突き出し部と該凹部の前後端との間にも所定の隙間が確保されるように凹部の間口幅が形成され、前記各隙間は当該ケースを前記液中で揺動させることにより前記対象物を前記凹部の範囲内で前記保持部に対して相対的に移動させる隙間とされるとともに、前記凹部の間口幅方向の前記揺動に対して前記対象物の突き出し部がその突き出し部の軸線とほぼ直角な方向に移動するものとされることを特徴とする水道メータ部品等の対象物浸漬収容ケース。
【請求項３】
前記対象物は単箱式水道メータのハウジングを構成する下ケースであって、その下ケースの内側底部には、計量用の羽根車を回転自在に支持するピボット軸を固定するねじ穴が形成され、そのピボット軸固定ねじ穴が前記凹部の間口幅方向とほぼ平行な方向に横向きに位置するようになっており、そのピボット軸固定ねじ穴の軸方向とほぼ平行な方向に前記揺動が加えられる請求項２に記載の水道メータ部品等の対象物浸漬収容ケース。
【請求項４】
両側に突き出し部を有する水道メータ部品等の対象物を位置を規定して収容し、保管・輸送及び所定の液への浸漬処理を行うための収容ケースであって、
全体が耐液性を有するとともに、少なくとも底部が通液性を備え、その底部に前記対象物を保持する保持部が固定又は一体に形成され、該ケースの底部が前記対象物の重量を支持すべく該対象物を着座させるとともに、前記保持部はその対象物の両側の突き出し部を浮かせた状態で受け入れるために、前記突き出し部の下端より低い位置に底部が形成された凹部を有して、両者間に所定の隙間が形成されるようにし、かつ前記突き出し部と該凹部の前後端との間にも所定の隙間が確保されるように凹部の間口幅が形成され、前記各隙間は当該ケースを前記液中で揺動させることにより前記対象物を前記凹部の範囲内で前記保持部に対して相対的に移動させる隙間とされるとともに、前記凹部の間口幅方向とほぼ直角な方向の前記揺動に対して前記対象物の突き出し部がその突き出し部の軸線とほぼ平行な方向に移動するものとされることを特徴とする水道メータ部品等の対象物浸漬収容ケース。
【請求項５】
前記対象物は複箱式水道メータのハウジングを構成する下ケースであって、下ケースにおける両側への突き出し部が各先端に水の流出入口を備えた袖部とされ、その流出入口が側方を向くように該下ケースが前記各袖部において前記凹部に受け入れられ、その流出入口の軸方向とほぼ平行な方向に前記揺動が加えられる請求項４に記載の水道メータ部品等の対象物浸漬収容ケース。
【請求項６】
前記保持部は前記凹部が形成された保持板と、その保持板を補強する補強板とを備え、それら保持板及び補強板は浸漬収容ケースのケース底部を仕切るように形成され、それら保持板及び／又は補強板には、前記ケース底部との間に液の通過を許容する通路となる切欠を備え、該切欠は前記揺動方向において液を流動させる方向に形成されている請求項１ないし３のいずれか１項に記載の水道メータ部品等の対象物浸漬収容ケース。
【請求項７】
前記浸漬収容ケースは方形のケース本体と、その内側に形成された前記保持部とを有し、その保持部は該ケース本体の側部と平行に延びる保持板を２条以上備え、各保持板はこれと直交する補強板により補強されるとともに、各保持板には前記対象物の突き出し部を受け入れる前記凹部が所定の間隔で複数形成されて、互いに対応する１組の凹部に前記対象物の両側の突き出し部が前記隙間を介して入り込む請求項１ないし６のいずれか１項に記載の水道メータ部品等の対象物浸漬収容ケース。
【請求項８】
前記ケース本体は上側に開放されて上部開口を備え、その上部開口に対して、他の同じケース本体の底部が着脱可能に嵌合する構造とされ、内部に前記保持部が形成されたケース本体を複数段積み重ねることが可能とされた請求項１ないし７のいずれか１項に記載の水道メータ部品等の対象物浸漬収容ケース。
【請求項９】
前記ケース本体は方形をなして、その底部及び側部の少なくとも一部が網目状に形成され、前記保持部は、前記凹部が形成されて該ケース本体の１辺と平行に複数条延びる保持板と、該保持板と直交するように該ケース本体内に配置され、前記保持板に対して切り込み部を介して組み合わされた補強板とを備え、前記保持板及び／又は補強板の両端部に形成された突起が、前記ケース本体の網目構造の網孔に嵌ることにより前記保持板及び補強板が前記ケース本体に対して固定されている請求項１ないし８のいずれか１項に記載の水道メータ部品等の対象物浸漬収容ケース。
【発明の詳細な説明】
【０００１】
【発明が属する技術分野】
この発明は、水道メータ部品等の対象物を収容し、所定の液中に浸漬するための浸漬収容ケースに関する。
【０００２】
【従来の技術】
水道メータは一般に本体ハウジングとなるような下ケースと、これに組み合わされる上ケース（上蓋）とを備えるのが普通で、水が主に流通するその下ケースの材質に鉛を含む合金が採用される場合がある。その場合、水中に鉛が溶出すること防止するために、その下ケースを所定の液に浸漬してその液を下ケースの表面に接触させる液処理（ドブ付けメッキのような処理）を行うことがある。
【０００３】
そのような浸漬処理に際しては、水道メータ部品である下ケースを輸送用のコンテナに収納して、目的とする専用の液処理工場等へ搬入し、浸漬工程の際には多数の下ケースを輸送用コンテナから取り出し、浸漬用バスケットに多数投入し、そのバスケットを介して所定の液中に浸漬し、それが終わると、浸漬用バスケットから液処理後の下ケースを取り出し、再び輸送用のコンテナに収容して所定の場所へ運んでいた。
【０００４】
【発明が解決しようとする課題】
しかしながら、このような輸送用コンテナから浸漬用バスケットへの移転、液処理後の浸漬用バスケットから輸送用コンテナへの積み替えは、多くの労力と時間・コストを要し、生産性を高める上での障害となる。
【０００５】
この発明は、浸漬工程から輸送・保管まで一貫して使用できる浸漬収容ケースを提供することを課題とする。
【０００６】
【課題を解決するための手段及び発明の効果】
この発明は、両側に突き出し部を有する水道メータ部品等の対象物を位置を規定して収容し、保管・輸送及び所定の液への浸漬処理を行うための収容ケースであって、
全体が耐液性を有するとともに、少なくとも底部が通液性を備え、その底部に前記対象物を保持する保持部が固定又は一体に形成され、該ケースの底部が前記対象物の重量を支持すべく該対象物を着座させるとともに、前記保持部はその対象物の両側の突き出し部を浮かせた状態で受け入れるために、前記突き出し部の下端より低い位置に底部が形成された凹部を有して、両者間に所定の隙間が形成されるようにし、かつ前記突き出し部と該凹部の前後端との間にも所定の隙間が確保されるように凹部の間口幅が形成され、前記隙間は当該ケースを前記液中で揺動させることにより前記対象物を前記凹部の範囲内で前記保持部に対して相対的に移動させる隙間とされたことを特徴とする。
【０００７】
これにより、該浸漬収容ケースの保持部に水道メータ部品等の対象物を保持した状態で、所定の液中にこの浸漬収容ケースごと浸漬され、その液中で該ケースが揺動させられると、対象物の両側の突き出し部と凹部との隙間の範囲でその対象物が保持部に対して相対的に移動し、対象物の表面にくまなく液を接触させやすくなる。
【０００８】
通常では対象物をいかにガタ無く固定し、保持するかが重要と考えられるが、これとは逆に、積極的に対象物を移動（揺動等）させるに必要な隙間（凹部）を形成することにより、浸漬工程で対象物の一部（例えば支持されている箇所）に液が触れなかったり、空洞部に空気が残り、そこに液が回らなかったりすることを可及的に防ぐことができる。
【０００９】
また、従来の浸漬用バスケットに対象物をバラで投入して浸漬する場合は、対象物に傷が付きやすいのに対し、この浸漬収容ケースを使用すれば、対象物の移動が適度に規制され、対象物同士の衝突が回避されるから、対象物に傷が付きにくい効果もある。
【００１０】
しかも、浸漬工程のみならず、運搬や保管にもこのケースを使用できるから、運搬してきた当該ケースをそのまま液中に浸漬し、その後、当該ケースに入れたままで対象物を輸送することができるから、浸漬工程が改善されるのみならず、工程間あるいは工場間の輸送の効率が飛躍的に向上する。
【００１１】
また、本発明では、対象物をケース底部で支持し、かつ対象物の両側の突き出し部を保持部の凹部により浮かせた状態で受け入れることにより、対象物の位置がその凹部で規定され、かつその凹部内で対象物の保持部に対する移動が許容されるとともに、対象物の両側の突き出し部が凹部の下端等に触れないから、浸漬の際にその突き出し部の外周に十分に液が付着し、またケースの揺動を介して、ケース底部に対し対象物が移動（揺動や滑動等）することにより、対象物の上記ケース底部で支持される部分にも液が回り、良好な液処理ができる。
【００１２】
【発明の実施の形態】
以下、この発明の実施の形態を図面に示す実施例を参照しつつ説明する。
図１及び図２に示す浸漬収容ケース１は、方形のケース本体２と、その内側に形成された保持部３とを有し、その保持部３はケース本体２の側部と平行に延びる保持板４を２条以上（この例では１０条）備え、各保持板４はこれと直交する補強板５により補強されている。より詳しくは、ケース本体２の短辺側の側部２ａと平行に１０個の保持板４がケース本体２の内部に設けられ、ケース本体２の長辺側の側部２ａと平行に２個の補強板５が設けられている。この例では、本体ケース２と保持部３とは別体に形成され、本体ケース２に保持板４及び補強板５が組み込まれた形態となっていて、ケース本体２はポリプロピレン等の樹脂で形成され、保持板４及び補強板５は硬質ウレタン等の樹脂で形成されて、いずれも浸漬される液に対する耐液性を有している。
【００１３】
各保持板４には後述する対象物としての水道メータ下ケース（水道メータ部品）の突き出し部を受け入れる凹部６が所定の間隔で複数形成されて、互いに対応する１組の凹部６に水道メータ部品の両側の突き出し部が予め定められた隙間を介して入り込み、保持板４と平行な方向の揺動によりその部品が保持板４に対して同じ方向に揺動可能とされている。
【００１４】
具体的には、図３（ａ）に示すように、保持板４は長手方向に所定の間隔で複数（この例では４個）の凹部６を備え、また上記補強板５との組立のために２個の切り込み７を有している。また各凹部６は、上側がやや開くようなテーパ状に形成され、この保持板４をトムソン刃等で打ち抜いた際の、製品の取り出しが容易にされるとともに、水道メータ部品の突き出し部を凹部６に挿入しやすくなっている。
【００１５】
また、同図（ｂ）に示すように、補強板５は長手方向に複数の切り込み８を備え、この切り込み８は１０枚の保持板４と交差状態で組み合わせるために、１０箇所に形成されている。補強板５の切り込み８と保持板４の切り込み７とが互いに差し込まれて互いに同じ高さＨとなり、各保持板４の上端と各補強板５の上端（低い切欠１１の底部）とがほぼ面一になるような格子構造となる。また各補強板５の下側縁には複数（５個）の切欠９が所定の切り込み８の間に形成されており、これらの切欠９が当該ケース１が液中に浸漬された際にその液を流通させる液流通部（液通路）となる。これにより補強板５でケース内部が仕切られいても、補強板５と交差する（直交する）方向における液の流動がスムーズに行われる。なお、補強板５の両端部には側方に突出する突起１０がそれぞれ形成されており、これらの突起１０が図１に示すケース本体２の側部２ａにおける網目構造の網孔２ｃに嵌り込むことにより、補強板５ひいては保持板４がケース本体４に固定されている。
【００１６】
図７〜図１０は、ケースへ収容される水道メータ部品としての下ケース（この例では口径１３ｍｍのもの）１３を示している。この下ケース１３は円筒容器状をなし、上部の開口１３ａと、両側に突き出た突き出し部としての袖部１３ｅ、１３ｆ（管部）と、これら袖部１３ｅ、１３ｆの開口である水の流出入口１３ｂ、１３ｃとを備える。流出入口１３ｂ、１３ｃの一方から他方へ流れる水が、内部にピボット軸３６（図９（ｂ）参照）を介して回転自在に保持された羽根車を回転させ、この回転数に基づいて水の流量（使用量）が検出される。上記羽根車を回転自在に支持するピボット軸３６は、この下ケースの底部に立設され、そのピボット軸３６の頂点に羽根車が緩く嵌って支持されるが、そのピボット軸の下端部は図９に示されるねじ穴１３ｇ（有底・非貫通）にねじ込まれて固定される。このような水道メータは通常、単箱式水道メータと称される。
【００１７】
上記のような水道メータ部品としての下ケース１３は、図４及び図５に示すように、その開口１３ａを横に向けるようにしてこの浸漬収容ケース２の底部２ｂで支持されるとともに、互いに所定間隔（下ケース１３の袖部間の外寸法より狭い間隔）で配置された２枚の保持板４に形成された、互いに対応する各凹部６に、下ケース１３の袖部１３ｅ、１３ｆが浮き上がった状態で入り込む。言い換えれば、各袖部１３ｅ、１３ｆの下端より、凹部６の下端部（底部）の方が一定量低くされ、そのため各袖部１３ｅ、１３ｆの下端と凹部６の底部との間には一定の隙間ができる。また各凹部６の内側の前後端と、各袖部１３ｅ、１３ｆの外面との間にも一定の隙間が確保されるように、凹部６の間口幅が定められている。
【００１８】
図６は、水道メータ部品である上記下ケース１３と保持板４の凹部６との関係を模式的に示すものである。この図からも明らかなように、下ケース１３を浸漬収容ケース１に収容した状態で、下ケース１３の袖部１３ｅ、１３ｆと凹部４との間に、上下の隙間ｔ１、側方の隙間ｔ２が設定され、下ケース１３の下部がケース底部２ｂ上に着座した状態となる。図１１は図１の浸漬収容ケース１を規定数の下ケース１３で満たした状態（この例では２０個）を示してしる。
【００１９】
そして、複数の浸漬収容ケース１が所定の枠ケージ（パンチングメタル等で構成される集合ケージ等）に格納された状態で、所定の液（例えば鉛溶出防止処理液）にその枠ケージごと浸漬される。より詳しくは、脱脂液槽、水洗槽、表面調整槽、水洗槽、化成処理槽、水洗槽、湯洗槽等に対し、クレーン等で枠ケージが吊り下げられ、それに支持された浸漬収容ケースがその枠ベースとともに各槽に順次浸漬されることとなる。
【００２０】
その浸漬の際に、例えばクレーン等の支持手段により枠ゲージが一定の方法へ揺動させられ、それにより各浸漬収容ケース１内の水道メータ部品である下ケース１３は、図６（ｃ）に概念を示すように、開口１３ａをほぼ横方向に向けた状態で、保持板４と平行な面を基準としてケース本体底部２ｂに対して移動（揺動やスライド等）する。その結果、収容部品たる下ケース１３は、外面側では液の相対的な流動が大きく、内面側ではそれとともに空気が閉じこめられにくく、よって外面側でも内面側でも、処理液等の液にまんべんなく触れやすくなり、液処理の欠落部が生じにくい良好な液処理が実施される。特にこの例で、図９に示す下ケース１３の底部に形成されたピボット軸３６の固定用ねじ穴１３ｇを横方向に寝かせた状態で、そのねじ穴１３ｇが上下に小角度揺動することで、そのねじ穴１３ｇ内に空気が閉じ込められること（エアポケットの発生）を回避することができる。
【００２１】
次に、浸漬収容ケースの別の実施例を図１２ないし図１８に基づいて説明する。
この例の浸漬収容ケース２１は、図１２ないし図１４等に示されるように、ケース本体２２（これは前記ケース本体２と同じもの）と、その内部に形成された保持部２３とを備え、保持部２３はケース本体２２の長辺方向の２つの側部２２ａに沿った２枚の保持板２４ａ、２４ａと、それらと平行にかつそれらの中間において中央を横断する保持板２４ｂと、ケース本体２２の短辺方向の２つの側部２２ａに沿って配置された２枚の補強板２５ａ、２５ａと、各保持板２４ａの中間に配された短い補強板２５ｂ、２５ｂとを備えている。
【００２２】
各保持板２４ａは、図１５にも示すように、後述する対象物としての水道メータ部品を保持するための複数（５個）の凹部２６を、上部に所定の間隔で備え、また下部には液の流通を許容する複数（５個）の切欠３１を隣り合う凹部２６の中間位置に有している。また、保持板２４ａは、両端部に下向きの切り込み２８と、側方に突出する突起３０を備え、各突起３０がケース本体２２の側部の網孔に嵌め込まれてケース本体２２に固定される。この点は図１と同様である。また保持板２４ａの上記切り込み２８に対し、図１２等に示す補強板２５ａの下向きの切り込み（図示せず）が差し込まれて、両者が直交するように組み合わされる。
【００２３】
中央の保持板２４ｂについて、その両端部に形成された突起（図１５の突起３０と同様のもの）においてケース本体２２に固定される構造、及び両端部に形成された上向きの切り込みに補強板２５ａの下向きの切り込みが差し込まれる構造は、両サイドの保持板２４ａと同様であるが、水道メータ部品の後述する袖部を受け入れる凹部の形態は相違している。中央の保持板２４ｂの長手方向には、図１２、１３に示すように、上向きに複数の凸部２７が一定の間隔で形成され、これら凸部２７の間の部分が一定間隔の複数の凹部２８となっていて、中央の保持板２４ｂの凹部２８の個数は、両サイドの保持板２４ａにおける凹部２６の数（この例では５個）の２倍（１０個）となっている。
【００２４】
つまり、中央の保持板２４ｂは両サイドの各保持板２４ａに共通に対向する保持板とされる。中央の保持板２４ｂには、両サイドにおける一方の保持板２４ａに形成された凹部２６と対応する凹部２８と、他方の保持板２４ａに形成された凹部２６と対応する凹部２８とが交互に（一つおきに）形成されていることとなり、両サイドの保持板２４ａ、２４ａの各凹部２６の形成位置は所定のピッチ（この例では半ピッチ）互いにずれている。この例でも、保持板２４ａ、２４ｂ及び補強板２５ａ、２５ｂは硬質ポリウレタン等の樹脂で形成され、ポリプロピレン等の樹脂からケース本体２２とともに、浸漬される液に対する耐液性を有している。
【００２５】
上記のような浸漬収容ケース２１に収容する対象物の水道メータ部品の一例が、図１９及び図２０に示されている。これは水道メータのハウジングを構成する下ケース３３であり、その上部の開口３３ａに対し上ケースが組み付けられる。その中央部の両側から側方へ突き出した突き出し部として袖部３３ｅ、３３ｆを（管部）を備え、その各端部が水の流出入口３３ｂ、３３ｃとされ（この例はこの開口直径（口径）が例えば２０ｍｍ）、この場合は３３ｃを流入口、３３ｂを流出口として水が流通し、その水の流れにより回転する羽根車の回転数に基づき流量（水道使用量）が計量される。このような水道メータは通常、複箱式水道メータと称される。
【００２６】
この下ケース３３は内部に計量室ケース等を組み込みための内フランジ３３ｈ（図１９（ｂ）参照）が形成されていて、所定の液に浸漬したとき、この内フランジ３３ｈのために、開口３３ａからケース底部側へ液が回り入り込みにくい構造となっている。このような場合は、流出入口３３ｂ、３３ｃの軸線と平行な面を基準に下ケース３３を揺動させると、その内部へ処理液が回りやすいと言える。つまり、図７等に示した前述の下ケース１３は流出入口１３ｂ、１３ｃの軸線と直角な面を基準に下ケース１３を揺動させることを前提にしていたが、図１９等に示す下ケース３３ではこれと揺動の向きが９０度異なるということができる。
【００２７】
図１６、図１７は上記のような下ケース３３を１個だけ浸漬収容ケース２１に入れた状態を示しており、図２１はその浸漬収容ケース２１を規定数（この場合は１０個）の下ケース３３で満たした状態を示している。また図１８はその水道メータ部品である下ケース３３の、浸漬収容ケース２１に対する収容状態を模式的に示すものである。この図からも明らかなように、下ケース３３は開口３３ａが下で底部が上になるように伏せられた状態で、保持板２４ａと２４ｂとの間にセットされる。
【００２８】
より詳しくは、開口３３ａの端面がケース本体２２の底部に着座してここで重量が支持され、また両側に突き出した袖部３３ｅ、３３ｆが、サイドの保持板２４ａの凹部２６と、センターの保持板２４ｂの凹部２７とに、高さ方向（上下）の隙間ｓ１と横方向（前後）の隙間ｓ２を介して、いわば浮き上がった状態で入り込む（受け入れられる）。言い換えれば、各凹部２６及び２７の底部（底面）は、袖部３３ｅ及び３３ｆの下端より低く形成されており、また各袖部３３ｅ、３３ｆは根元側がより太くなるテーパ状の形態をなしているが、各凹部２６、２８の幅（間口）はそのテーパ状の外形より一定の隙間分広く形成されているため、下ケース３３は各保持板２４ａ、２４ｂに対して袖部３３ｅ、３３ｆの軸方向に所定の小距離分移動することができる。
【００２９】
そして、このようして複数の下ケース３３を収容した浸漬収容ケース２１を、前述のような枠ゲージに入れて、前述と同様にして処理液中に浸漬し、図１２等における保持板２４ａと２４ｂとの対向方向に揺動させると、図１８（ｃ）に示すように、下ケース３３はケース本体２２とともに揺動しつつ、ケース本体２２の底部上を滑るように往復動し、これにより下ケース３３のケース本体２２に対する着座部にも十分処理液が接触し、また下ケース３３の内部にも、図１９（ｂ）の内フランジ３３ｈの存在にかかわらず、その奥部まで液が回り込みやすくなる。
そのため、上ケース３３の外側にも内側にも十分に液が接触し、液欠落部の生じにくい良好な液処理が可能となる。
【００３０】
さらに別の実施例として、図２２には、収容対象物として図７等の両側の袖部１３ｅ、１３ｆがさらに長く延びた下ケース４３（例えば口径１３ｍｍのロングタイプ）を所定個数、例えば１２個収容する浸漬収容ケース４１を示している。このケース本体２は前述の実施例と同じものであり、また内部の保持部は、図１及び図２等と比較すると、異なる点は保持板４間のスパンが長くなった分、その保持板４の数が１０枚から６枚に減らされている点であり、その他の部分は前述の実施例と同様であって、図１等に示した浸漬収容ケース１と実質的に同様の作用効果が得られる。
【００３１】
図２３に示すさらに別の実施例は、収容対象物として図１９等に示す上ケース３３の口径が拡大、及び全体的に大きくされて通水可能量が増えた下ケース５３（例えば口径２５ｍｍロング）を所定個数、例えば８個収容する浸漬収容ケース５１を示している。このケース本体２は前述の実施例と同じものであり、また内部の保持部は、図１２及び図１３等と比較すると、異なる点は保持板２４ａの凹部２６の数を５個から４個に減らした保持板３４ａと、保持板２４ｂの凹部２８の数を１０個から８個に減らした保持板３４ｂを使用している点であり、補強板３５ａ、３５ｂは前述の補強板２５ａ、２５ｂと同様であって、この例でも図１２等に示したものと実質的に同様の作用効果が得られる。
【００３２】
なお、以上のような浸漬収容ケース１、２１、４１、５１は、内部の保持部に関しては収容対象である水道メータ部品のサイズや形状に応じて変更されるが、ケース本体２、２２はすべてを通じて共通である。そして、所定の液槽への浸漬に際しては、先にも述べたように、図２４に概念的に示すような枠ゲージ６０（例えばパンチングメタル等の通通液性がある複数の棚が形成されたもの）の各棚に、所定の水道メータ部品（下ケース１３、３３、４３、５３等）を収容した浸漬収容ケース（この例ではＮｏ．１〜Ｎｏ．１５）を格納し、枠ゲージ６０をクレーン等の吊り下げ手段で液槽に浸漬した状態で、上記枠ゲージ６０をその吊り下げ手段又は専用の揺動手段により一方向、例えば浸漬収容ケースの短辺方向に沿うように揺動させると、前述のように対象物に対する液の回りがよくなる。
【００３３】
ここで、図２４のＮｏ．１〜Ｎｏ．１５のケースは、すべて同じ種類のもの（例えば浸漬収容ケース１のみを複数）としてもよいし、異なる種類（例えば浸漬収容ケース１、２１、４１、５１）の任意の組合せとしてもよい。例えば浸漬収容ケース１と２１を混合して枠ケージに入れて液槽に浸漬し、その状態で一方向に（複数方向でもよいが）揺動させれば、前述した図６（ｃ）に示すような下ケース１３の保持板４と平行な方向に沿った揺動と、図１８（ｃ）に示したような下ケース３３の保持板２４ａと直角な方向に沿った揺動とが同時に生じる。言い換えれば、図６の下ケース１３では袖部１３ｅ、１３ｆの軸方向と直角な方向に沿った揺動、図１８の下ケース３３では袖部３３ｅ、３３ｆの軸方向と平行な方向に沿った揺動が生じ、各上ケース１３、３３の形態・構造に応じて液の回りを良好にすることができる。
【００３４】
以上は主に、所定の液槽へ浸漬する点に着目して各浸漬収容ケースを説明したが、上記のような浸漬収容ケースは、水道メータ部品等の対象物を保管したり、運搬（輸送）したりする際にもそのまま使用することができる。その際、上記した浸漬収容ケース１、２１、４１、５１においてケース本体の少なくとも平面サイズは共通である。そして、図２５に示すように、ケース本体の底部には、積み重ね時の嵌合部７０が下向きに突出して、かつ底面視で方形に又は４個のコーナー部のみに部分的に設けられ、積み重ね状態でそのケース底部の嵌合部７１が、ケース開口部１７の内側に嵌合して位置決めされる。
【００３５】
したがって、前記水道メータ部品等の対象物を収容した複数のケース１等を、上記のように積み重ねた状態で保管したり、トラック等に載せて運搬したりすることができ、かつそのケース１等は所定の液に対し、耐液性と通液性を有するから、ケース１等に収容した対象物を取り出すことなく、そのまま前記枠ゲージ等を介して、又は積み重ね状態のままで、前述の液槽に対する浸漬を実施することができ、逆に浸漬後の対象物をケース１等に収容したまま、保管や運搬ができるから、作業効率が大幅に向上する。
【００３６】
以上の説明では、浸漬収容ケースにおいてケース本体２，２２と保持部３，２３とが別体で形成され、両者が組立により一体化された例を説明したが、ケース本体と保持部（補強部も含めて）が一体に形成されてもよい。例えば樹脂による一体成形も可能である。
【図面の簡単な説明】
【図１】この発明の実施例１の浸漬収容ケースを示す斜視図。
【図２】図１の平面図。
【図３】図１の保持板及び補強板を示す正面図。
【図４】実施例１の浸漬収容ケースに、対象物として水道メータ部品としての第１例の下ケースを１個入れた状態の斜視図。
【図５】図４とはほぼ直角な方向から見た図４に対応する斜視図。
【図６】実施例１の浸漬収容ケースに、水道メータ部品としての第１例の下ケースを保持させた状態を模式的に説明する図。
【図７】水道メータ部品としての第１例の下ケースを示す斜視図。
【図８】図７の正面図。
【図９】図７の平面図及び縦断面図。
【図１０】図７の側面図。
【図１１】図１等に示す実施例１の浸漬収容ケースに、規定数全数の水道メータ部品（下ケース１３）を収容した状態の平面図。
【図１２】この発明の実施例２の浸漬収容ケースを示す斜視図。
【図１３】図１２と異なる方向から見た実施例２の浸漬収容ケースを示す斜視図。
【図１４】図１２の平面図。
【図１５】図１２のサイドの保持板を示す正面図。
【図１６】実施例２の浸漬収容ケースに、対象物として水道メータ部品としての第２例の下ケースを１個入れた状態の斜視図。
【図１７】図１６の全体平面図。
【図１８】実施例２の浸漬収容ケースに、水道メータ部品としての第２例の下ケースを保持させた状態を模式的に説明する図。
【図１９】水道メータ部品としての第２例の下ケースを示す斜視図及び縦断面図。
【図２０】図１９の正面図。
【図２１】図１２等に示す実施例２の浸漬収容ケースに、規定数全数の水道メータ部品（下ケース３３）を収容した状態の平面図。
【図２２】この発明の実施例３の浸漬収容ケースに、水道メータ部品としての第３例の下ケースを規定数全数収容した状態の平面図。
【図２３】この発明の実施例４の浸漬収容ケースに、水道メータ部品としての第４例の下ケースを２個収容した状態の平面図。
【図２４】複数の浸漬収容ケースを格納して所定の液槽へ浸漬するための枠ケージを概念的に示す図。
【図２５】複数の浸漬収容ケースを積み重ねた状態を示す簡略な断面図。
【符号の説明】
１、２１、４１、５１  浸漬収容ケース
２、２２  ケース本体
２ａ  ケース本体側部
２ｂ  ケース本体底部
２ｃ  ケース本体側部の網孔
３、２３  保持部
４、２４、３４  保持板
５、２５、３５  補強板
６、２６、２８  凹部
７、８、２８  切り込み
９、３１  切欠（空所）
１０、３０  突起
１３  単箱式水道メータ下ケース（部品）
１３ａ、３３ａ    開口
１３ｂ、１３ｃ、３３ｂ、３３ｃ  流出入口
１３ｄ  ピボット軸受固定用ねじ穴
１３ｅ、１３ｆ、３３ｅ、３３ｆ  袖部（突き出し部）
３３  複箱式水道メータ下ケース（部品）
３３ｄ  ピボット軸固定用ねじ穴
６０  枠ゲージ
【図１】
2004189244.tif 000003
【図２】
2004189244.tif 000004
【図３】
2004189244.tif 000005
【図４】
2004189244.tif 000006
【図５】
2004189244.tif 000007
【図６】
2004189244.tif 000008
【図７】
2004189244.tif 000009
【図８】
2004189244.tif 000010
【図９】
2004189244.tif 000011
【図１０】
2004189244.tif 000012
【図１１】
2004189244.tif 000013
【図１２】
2004189244.tif 000014
【図１３】
2004189244.tif 000015
【図１４】
2004189244.tif 000016
【図１５】
2004189244.tif 000017
【図１６】
2004189244.tif 000018
【図１７】
2004189244.tif 000019
【図１８】
2004189244.tif 000020
【図１９】
2004189244.tif 000021
【図２０】
2004189244.tif 000022
【図２１】
2004189244.tif 000023
【図２２】
2004189244.tif 000024
【図２３】
2004189244.tif 000025
【図２４】
2004189244.tif 000026
【図２５】
2004189244.tif 000027